(57)【要約】      （修正有）【課題】逆Ｖ字型その他の傾斜状態に保持することが可能な折り畳み式バスマットを提供する。【解決手段】複数の板状部材１１１、１１２からなる本体１１０を備えるバスマット１００であって、前記複数の板状部材１１１、１１２のうち相互に隣接する板状部材１１１、１１２は相互に折り畳み可能に連結されており、前記本体１１０の外側の縁１１１ｂ、１１２ｂの各々には少なくとも二つの滑り止め用脚部１２０を着脱自在に取り付けて、折り畳み式バスマット１００を構成する。【選択図】図１
0003155534.tif 000002
【実用新案登録請求の範囲】
【請求項１】
複数の板状部材からなる本体を備えるバスマットであって、
前記複数の板状部材のうち相互に隣接する板状部材は相互に折り畳み可能に連結されており、
前記本体の外側の縁の各々には少なくとも二つの滑り止め用脚部が着脱自在に取り付けられている折り畳み式バスマット。
【請求項２】
前記板状部材は矩形をなしていることを特徴とする請求項１に記載のバスマット。
【請求項３】
前記滑り止め用脚部は前記板状部材の厚さよりも大きく、かつ、前記板状部材の両側に突出する厚さを有していることを特徴とする請求項１又は２に記載の折り畳み式バスマット。
【請求項４】
前記板状部材にはその厚さ方向に貫通する少なくとも一つの貫通孔が形成されており、
前記貫通孔に取り外し可能に嵌合し、かつ、前記板状部材の両側に突出する厚さを有する滑り止め用突起体を備えていることを特徴とする請求項１乃至３の何れか一項の折り畳み式バスマット。
【考案の詳細な説明】
【技術分野】
【０００１】
本考案は、バスマット、特に、折り畳み式バスマットに関する。
【背景技術】
【０００２】
浴室前の床面に敷かれるバスマットは、床面上に置いたままにしておくと、吸収した水分を放出しにくいため、バスマットの下に敷板が置かれることが多い。バスマットの下に敷板を置くことにより、バスマットと床面との間に空間を形成し、バスマットに吸収された水分が落下しやすいようにすることができる。
【０００３】
このような敷板の一例として実用新案登録第３１０４５５１号公報に記載されたものがある。
【０００４】
同公報に記載された敷板は、相互に折り畳み可能に連結された２枚のスノコからなり、さらに、２枚のスノコを逆Ｖ字型に保持する支持体を備えている。
【０００５】
支持体により２枚のスノコを逆Ｖ字型に保持した状態にし、その上にバスマットを置くことにより、敷板を干し具として使用することができる。
【考案の概要】
【考案が解決しようとする課題】
【０００６】
しかしながら、上記の敷板には次のような問題点があった。
【０００７】
第一の問題点は、２枚のスノコを逆Ｖ字型に保持するために、敷板が支持体を備えなければならない点である。
【０００８】
第二の問題点は、敷板を逆Ｖ字型に保持することなく、そのまま床面上に置いた場合、敷板には床面に対する固定機能がないため、徐々に動いてしまうという点である。
【０００９】
本考案はこのような問題点に鑑みてなされたものであり、支持体その他のこれに類する部材を使用することなく、逆Ｖ字型その他の傾斜状態に保持することが可能であり、かつ、そのまま床面に置いた場合であっても、床面に対して動きにくい折り畳み式バスマットを提供することを目的とする。
【課題を解決するための手段】
【００１０】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１１】
上記の目的を達成するため、本考案は、複数の板状部材（１１１、１１２）からなる本体（１１０）を備えるバスマット（１００）であって、前記複数の板状部材（１１１、１１２）のうち相互に隣接する板状部材（１１１、１１２）は相互に折り畳み可能に連結されており、前記本体（１１０）の外側の縁（１１１ｂ、１１２ｂ）の各々には少なくとも二つの滑り止め用脚部（１２０）が着脱自在に取り付けられている折り畳み式バスマット（１００）を提供する。
【００１２】
前記板状部材（１１１、１１２）は、例えば、矩形をなしている。
【００１３】
前記滑り止め用脚部（１２０）は前記板状部材（１１１、１１２）の厚さよりも大きく、かつ、前記板状部材（１１１、１１２）の両側に突出する厚さを有していることが好ましい。
【００１４】
前記板状部材（１１１、１１２）にはその厚さ方向に貫通する少なくとも一つの貫通孔（２１０）が形成されており、前記貫通孔（２１０）に取り外し可能に嵌合し、かつ、前記板状部材（１１１、１１２）の両側に突出する厚さを有する滑り止め用突起体（２２０）を備えていることが好ましい。
【考案の効果】
【００１５】
本考案に係る折り畳み式バスマットによれば、次の効果を得ることができる。
【００１６】
第一に、支持体その他のこれに類する部材を使用することなく、折り畳み式バスマットを傾斜状態に保持することが可能である。
【００１７】
上述の従来の敷板は逆Ｖ字型の状態に保持するために、支持板を用いることが必要であったが、本考案に係る折り畳み式バスマットにおいては、本体の相互に対向する一対の縁の各々には少なくとも二つの脚部が取り付けられているため、この脚部が床面との間に摩擦力を発生させ、ストッパーとして機能する。このため、本考案に係る折り畳み式バスマットを単体で逆Ｖ字型の状態に保持することができる。
【００１８】
第二に、床面上を不必要に移動することを防止することができる。
【００１９】
上述の従来の敷板は床面に対する固定機能を有していないため、そのまま床面上に置いた場合、人が乗るたびに徐々に動いてしまうという欠点があった。
【００２０】
これに対して、本考案に係る折り畳み式バスマットにおいては、本体の相互に対向する一対の縁の各々に取り付けられている少なくとも二個の脚部が床面に対して摩擦力を作用させ、ストッパーとして機能する。このため、本考案に係る折り畳み式バスマットをそのまま床面上に置いた場合であっても、折り畳み式バスマットが不必要に動いてしまうことを防止することができる。
【００２１】
さらに、本考案に係る折り畳み式バスマットは表裏を区別する必要がないため、バスマットの表面と裏面とをリバーシブルに使用することが可能である。
【図面の簡単な説明】
【００２２】
【図１】図１（Ａ）は本考案の第一の実施形態に係る折り畳み式バスマットの平面図、図１（Ｂ）は折り畳み式バスマットの正面図、図１（Ｃ）は折り畳み式バスマットの側面図である。
【図２】本考案の第一の実施形態に係る折り畳み式バスマットを傾斜状態（逆Ｖ字型）に維持した状態における正面図である。
【図３】本考案の第二の実施形態に係る折り畳み式バスマットにおける本体の部分的な縦断面図である。
【符号の説明】
【００２３】
１００  本考案の第一の実施形態に係る折り畳み式バスマット
１１０  本体
１１１  板状部材
１１２  板状部材
１１３  接続部
１２０  滑り止め用脚部
２１０  貫通孔
２２０  滑り止め突起体
【考案を実施するための形態】
【００２４】
（第一の実施形態）
図１（Ａ）は本考案の第一の実施形態に係る折り畳み式バスマット１００の平面図、図１（Ｂ）は折り畳み式バスマット１００の正面図、図１（Ｃ）は折り畳み式バスマット１００の側面図である。
【００２５】
図１（Ａ）に示すように、本実施形態に係る折り畳み式バスマット１００は、本体１１０と、４個の滑り止め用脚部１２０と、から構成されている。
【００２６】
本体１１０は２枚の板状部材１１１、１１２からなる。各板状部材１１１、１１２は長方形形状をなしている。
【００２７】
本体１１０（すなわち、板状部材１１１、１１２）は軟質の合成樹軟質、例えば、６６ナイロンまたはシリコンでつくられている。
【００２８】
板状部材１１１、１１２はそれらの長辺１１１ａ、１１２ａを介して相互に折り畳み可能（あるいは、折り曲げ可能）に連結されている。
【００２９】
具体的には、図１（Ｂ）に示すように、板状部材１１１、１１２の長辺のうち、相対向する長辺１１１ａ、１１２ａはその縦断面がＶ字型をなすように形成されており、板状部材１１１のＶ字型長辺１１１ａと板状部材１１２のＶ字型長辺１１２ａとが各板状部材１１１、１１２よりも厚みのうすい接続部１１３を介して接続されている。接続部１１３が屈曲することにより、板状部材１１１、１１２は相互に１８０度折り曲げ可能になっている。すなわち、板状部材１１１を折り曲げて板状部材１１２の上面に重ね合わせることが可能であり、また、板状部材１１１を折り曲げて板状部材１１２の下面に重ね合わせることも可能である。
【００３０】
板状部材１１１、１１２の長辺のうち、相互に離間している長辺１１１ｂ、１１２ｂにはそれぞれ２個の滑り止め用脚部１２０が取り付けられている。
【００３１】
図１（Ｂ）に示すように、各長辺１１１ｂ、１１２ｂからは外側に延びる延長部が形成されており、各滑り止め用脚部１２０はその延長部に差し込まれることにより、板状部材１１１、１１２の各々に取り付けられている。
【００３２】
各滑り止め用脚部１２０は、例えば、ラバー製である。
【００３３】
各滑り止め用脚部１２０は本体１１０の四隅を始点として各長辺１１１ｂ、１１２ｂに沿って取り付けられている。
【００３４】
図１（Ｂ）及び図１（Ｃ）に示すように、各滑り止め用脚部１２０は板状部材１１１、１１２の厚さよりも大きく、かつ、板状部材１１１、１１２の両側（図１（Ｂ）の上方側及び下方側）に突出する厚さを有している。
【００３５】
以上のような構造を有する本実施形態に係る折り畳み式バスマット１００は以下のように用いることができる。
【００３６】
図２は、本実施形態に係る折り畳み式バスマット１００を傾斜状態（逆Ｖ字型）に維持した状態における正面図である。
【００３７】
接続部１１３において各板状部材１１１、１１２を折り曲げることにより、本体１１０を三角形（逆Ｖ字型）にすることができる。この三角形の状態のまま床面上に置けば、各滑り止め用脚部１２０が床面に対して摩擦力を発生させ、ストッパーとして機能する。すなわち、各板状部材１１１、１１２が床面に対して滑り、その結果、本体１１０が再び開いた状態になり、床面上に落ちることを各滑り止め用脚部１２０の機能により防止することができる。
【００３８】
このように、本実施形態に係る折り畳み式バスマット１００は傾斜状態（逆Ｖ字型）を維持したまま、床面上に置くことが可能である。
【００３９】
また、本実施形態に係る折り畳み式バスマット１００は図１（Ａ）に示すような平板状のままバスマットとして使用することが可能である。
【００４０】
この場合においても、各滑り止め用脚部１２０が床面に対するストッパーとして機能するため、多数の人間が折り畳み式バスマット１００上に乗ったとしても、折り畳み式バスマット１００が不必要にずれ動くことを防止することができる。
【００４１】
なお、本実施形態に係る折り畳み式バスマット１００は表と裏との区別がないため、本体１１０の二つの面のどちらを上にしても使用することが可能である。
【００４２】
例えば、本体１１０の一方の面と他方の面とで色または模様を変えることにより、リバーシブルに使用した場合、折り畳み式バスマット１００の印象を変えることができる。
【００４３】
本実施形態に係る折り畳み式バスマット１００は上述のような構造に限定されるものではなく、種々の改変が可能である。
【００４４】
本実施形態に係る折り畳み式バスマット１００においては、各板状部材１１１、１１２は長方形形状をなしているが、各板状部材１１１、１１２の形状は長方形には限定されない。例えば、長方形以外の多角形（三角形など）、円形、楕円形その他の任意の形状を選択することが可能である。
【００４５】
また、板状部材１１１、１１２は接続部１１３を介して相互に折り曲げ可能であるように構成されているが、接続部１１３以外の手段により、板状部材１１１、１１２を相互に折り曲げ可能に形成することもできる。例えば、ヒンジ部材を介して板状部材１１１、１１２を連結することにより、板状部材１１１、１１２を相互に折り曲げ可能に形成することもできる。
【００４６】
本実施形態に係る折り畳み式バスマット１００においては、各板状部材１１１、１１２の材質は軟質の合成樹軟質が選択されているが、板状部材１１１、１１２の材質はそれには限定されない。例えば、各板状部材１１１、１１２の材質として、木材、金属などを選択することができる。その場合には、ヒンジ部材を介して各板状部材１１１、１１２を接続することにより、板状部材１１１、１１２を相互に折り曲げ可能に形成することができる。
【００４７】
本実施形態に係る折り畳み式バスマット１００においては、本体１１０は二つの板状部材１１１、１１２から形成されているが、板状部材１１１、１１２の数は２には限定されない。板状部材１１１、１１２の数として、３以上の任意の数を選択することもできる。この場合にも、滑り止め用脚部１２０は両端に位置する板状部材の外側の縁部に取り付けられる。
【００４８】
例えば、本体１１０を４個の板状部材を有するものとして構成した場合には、Ｍ字型の状態に維持することが可能である。
【００４９】
本実施形態に係る折り畳み式バスマット１００においては、各板状部材１１１、１１２にはそれぞれ２個の滑り止め用脚部１２０が取り付けられているが、各板状部材１１１、１１２に取り付けられる滑り止め用脚部１２０の数は２には限定されない。２以上であれば、任意の数を選択することができる。
【００５０】
また、本実施形態に係る折り畳み式バスマット１００においては、各滑り止め用脚部１２０は本体１１０の四隅を含む位置に配置されているが、各滑り止め用脚部１２０を配置する位置はそれには限定されない。板状部材１１１の長辺１１１ｂ及び板状部材１１２の長辺１１２ｂの任意の位置に２個の滑り止め用脚部１２０を配置することが可能である。
【００５１】
また、本実施形態に係る折り畳み式バスマット１００においては、各脚部１２０は本体１１０に対して取り外し可能に取り付けられているため、磨耗した場合には、交換することが可能である。ただし、各脚部１２０を本体１１０に対して取り外し可能に取り付けることは必ずしも必要ではなく、各脚部１２０を本体１１０（すなわち、板状部材１１１、１１２）に対して固定的に取り付けることも可能である。
【００５２】
（第二の実施形態）
図３は本考案の第二の実施形態に係る折り畳み式バスマットにおける本体１１０の部分的な縦断面図である。
【００５３】
本実施形態に係る折り畳み式バスマットにおいては、各板状部材１１１、１１２には、図３に示すように、各板状部材１１１、１１２の厚さ方向に貫通する複数個の貫通孔２１０が形成されている。
【００５４】
貫通孔２１０の各々には、滑り止め突起体２２０が嵌め込まれている。
【００５５】
滑り止め突起体２２０はラバー製である。滑り止め突起体２２０は板状部材１１１、１１２の両側に突出する厚さを有している。具体的には、滑り止め突起体２２０は、貫通孔２１０と同一長さを有し、貫通孔２１０に嵌合する第一部分と、第一部分の両端において第一部分と連続して形成され、第一部分よりも大きい直径を有し、各板状部材１１１、１１２の表面に当接する二つの第二部分とから構成されている。
【００５６】
各板状部材１１１、１１２に滑り止め突起体２２０を取り付けることにより、折り畳み式バスマットを床面上に置いた場合に、折り畳み式バスマットを床面に対してさらに滑りにくくすることができる。
【００５７】
なお、各板状部材１１１、１１２に形成される貫通孔２１０及びそれに取り付けられる滑り止め突起体２２０の数としては、１以上の任意の数を選択することができる。
【図１】
0003155534.tif 000003
【図２】
0003155534.tif 000004
【図３】
0003155534.tif 000005